(57)【要約】【課題】リバースマクロ用にレンズ先端部にカメラとの電子接点端子を設けると、端子が露出してしまうため、静電気などのノイズに弱い構成となってしまう。また、リバースマクロ状態にするためには、一度カメラからレンズを取り外さなければならず、電気的な接続が切れてしまうために、再度初期化処理から開始しなければならないという問題がある。【解決手段】カメラに装着するレンズマウント部と、レンズマウント部から延伸可能な保持部材を介して、レンズマウント部から分離可能なレンズ鏡筒を持ち、前記保持部材とレンズ鏡筒との接続部の回転機構によりレンズ鏡筒を回転する事が可能な構成であり、前記レンズマウント部にはカメラと電気的に接続可能な接点端子を持ち、前記接点端子に接続された信号線が、前記保持部材を介して前記レンズ鏡筒内の基板に接続される。【選択図】図１
2018194763.tif 000002
【特許請求の範囲】
【請求項１】
カメラに装着するレンズマウント部と、レンズマウント部から延伸可能な保持部材を介して、レンズマウント部から分離可能なレンズ鏡筒を持ち、前記保持部材とレンズ鏡筒との接続部の回転機構によりレンズ鏡筒を回転する事が可能な構成であり、前記レンズマウント部にはカメラと電気的に接続可能な接点端子を持ち、前記接点端子に接続された信号線が、前記保持部材を介して前記レンズ鏡筒内の基板に接続される事を特徴とする交換レンズ。
【発明の詳細な説明】
【技術分野】
【０００１】
本発明は、レンズの前後を入れ替えて、所謂リバースマクロ撮影を簡便に行えるカメラシステムに関する。
【背景技術】
【０００２】
従来より、カメラに対してレンズを逆付けにする事で接写を可能にする所謂リバースマクロという撮影手法が知られている。このようにレンズを逆付けにしてカメラに取り付ける際には、レンズ前面のフィルタネジに逆付け用アダプタを取りつけてカメラと接続可能にしたものが利用される。この場合カメラとレンズは電気的な接続がされておらず、カメラからの絞りの制御や情報のやり取りを行う事は出来ない。そこで、特許文献１や特許文献２に記載のように、レンズの先端にもカメラとの電子接点を設けて、逆付け時にもカメラとレンズ間で情報のやり取りを出来るようにしたものがある。
【先行技術文献】
【特許文献】
【０００３】
【特許文献１】特開２００４−３６１６２５号公報
【特許文献２】特開２０１４−８５５２５号公報
【発明の概要】
【発明が解決しようとする課題】
【０００４】
特許文献１と特許文献２共に、レンズ先端部にカメラとの電子接点端子を設けており、通常使用時にも電源や通信用の端子が露出してしまうため、静電気などのノイズに弱い構成となっている。また、リバースマクロ状態にするためには、一度カメラからレンズを取り外さなければならず、電気的な接続が切れてしまうために、再度初期化処理から開始しなければならないという問題がある。
【課題を解決するための手段】
【０００５】
上記の課題を解決するために、本発明に係る交換レンズは、
カメラに装着するレンズマウント部と、レンズマウント部から延伸可能な保持部材を介して、レンズマウント部から分離可能なレンズ鏡筒を持ち、前記保持部材とレンズ鏡筒との接続部の回転機構によりレンズ鏡筒を回転する事が可能な構成であり、前記レンズマウント部にはカメラと電気的に接続可能な接点端子を持ち、前記接点端子に接続された信号線が、前記保持部材を介して前記レンズ鏡筒内の基板に接続される。
【発明の効果】
【０００６】
本発明に係る交換レンズによれば、電気的接続を維持したまま通常撮影状態とリバースマクロ状態の切り替えが可能であり、また使用時に接点端子が露出しない構成とすることが出来る。
【図面の簡単な説明】
【０００７】
【図１】本発明のカメラシステムを示すブロック図
【図２】本発明のアーム部を伸ばした状態の図
【図３】本発明の通常撮影状態からリバースマクロ状態へ変更する時の図
【図４】本発明のリバースマクロ状態で撮影可能状態へ移行するための図
【発明を実施するための形態】
【０００８】
以下、本発明を図示の実施の形態に基づいて詳細に説明する。
【実施例】
【０００９】
以下に、本発明によるカメラシステムの構成について説明する。
【００１０】
図１に示すように、カメラ本体（１００）にはカメラ制御基板（１０２）と、交換レンズに電源を供給し、通信を行い情報のやり取りを行う為のカメラ側接点端子（１０３）を備える。
【００１１】
交換レンズは、大きく分けてレンズ鏡筒部（１０１）とレンズマウント部（１０４）により構成されており、レンズマウント部（１０４）で、カメラ本体（１００）に取り付けが可能である。レンズマウント部（１０４）には前述のカメラ側接点端子（１０３）と接続されるレンズ側接点端子（１０５）を備える。レンズ鏡筒部（１０１）には撮影光学系の一部として、フォーカスレンズ（１１１）、ズームレンズ（１１３）、像振れ補正用レンズ（１１５）、絞り（１１９）が配置されている。また、レンズの各種制御を行うためのレンズ制御基板（１０９）を備える。フォーカスレンズ（１１１）は、レンズ制御基板（１０９）からの制御信号によりフォーカス制御回路（１１２）を介して駆動される。フォーカス制御回路（１１２）には、フォーカスレンズ駆動回路のほか、フォーカスレンズ駆動用モータ、フォーカスレンズの移動に応じたゾーンパターン信号やパルス信号を出力するフォーカスエンコーダなども含まれている。
【００１２】
ズームレンズ（１１３）は、撮影者が不図示のズーム操作環を操作することにより移動する。ズームエンコーダ（１１４）はズームレンズの移動に応じたゾーンパターン信号を出力する。像振れ補正レンズ（１１５）は、像振れ補正制御回路（１１６）を介して駆動される。像振れ補正は、回転振れを検出する角速度センサ（１１８）の振れ信号が信号処理回路（１１６）で信号処理され、補正レンズエンコーダ（１１７）から出力される補正レンズ位置信号を用いてフィードバック制御される。絞り（１１９）は、レンズ制御基板（１０９）からの制御信号により絞り制御回路（１２０）を介して駆動される。
【００１３】
また、レンズ鏡筒部（１０１）はレンズマウント部（１０４）の延伸可能なアーム（１０６）とアーム先端に備えられている回転部材（１０８）により支えられている。アーム（１０６）内部には、レンズ側接点端子（１０３）から伸びるフレキ及びリード線が通っており、レンズ制御基板（１０９）に接続されている。これらにより、カメラ制御基板（１０２）との間で各種情報のやり取りや、電源の供給が行われる。また、回転部材（１０８）の近傍には向き検出スイッチ（１１０）を設けており、次に示す方法でレンズを回転させたときに、レンズの向きを検出できるようになっている。
【００１４】
次に図２から図４を用いて通常撮影状態からリバースマクロ状態への切り替え方を説明する。図２に示すように、ユーザーはレンズ鏡筒部（１０１）を光軸方向へ引き出すように操作することで、アーム（１０６）が伸び、レンズ鏡筒（１０１）をレンズマウント部（１０４）から離す事ができる。この状態において、図３に示すように、レンズ鏡筒部（１０１）を支えている回転部材（１０８）の中心を軸としてレンズ鏡筒部（１０１）を１８０°回転させる。この事によりレンズの前後が入れ替わり、通常撮影状態からリバースマクロ状態に切り替わる。次に図４に示すように、レンズ鏡筒部（１０１）を再びレンズマウント部（１０４）方向へ押しこむ事で、撮影可能状態へと遷移する。
【００１５】
上記のようにして、レンズ鏡筒部（１０１）を回転させる事で、通常撮影状態とリバースマクロ状態を簡単に切り替える事が出来る。また、レンズの向きを検出するためのスイッチを設ける事で、通常状態、リバースマクロ状態の判別が出来るため、それぞれの状態に最適な制御を行う事が出来る。また、通常状態とリバースマクロ状態への撮影状態変更時に、レンズマウントをカメラから取り外す必要が無いため、通電状態を保持したまま撮影状態の変更が出来る。すなわち、フォーカスのリセット駆動などの各種初期化処理を行う必要が無いため、素早く撮影可能状態へ移行する事が出来る。
【００１６】
本実施例では、光軸方向にレンズ鏡筒を引き出し後に１８０度回転させてリバースマクロ状態へと変更をする構成を示したが、この方法に限定されず、上下方向に移動させた後に回転させる方向でも実施が可能である。
【００１７】
また、本実施の形態では交換レンズの形態について説明したが、レンズ一体型のカメラにおいても適用が可能であり、その場合はレンズ鏡筒保持部材をカメラ本体に直接接続されていればよい。
【００１８】
以上、本発明の好ましい実施形態について説明したが、本発明はこれらの実施形態に限定されず、その要旨の範囲内で種々の変形および変更が可能である。
【符号の説明】
【００１９】
１００  カメラ本体、１０１  交換レンズの鏡筒部、
１０４  交換レンズのマウント部、１０６  鏡筒部を支えるアーム、
１０８  アーム先端の回転部材、１１０  レンズ鏡筒方向検出スイッチ
【図１】
2018194763.tif 000003
【図２】
2018194763.tif 000004
【図３】
2018194763.tif 000005
【図４】
2018194763.tif 000006